(57)【要約】アコースティック楽器の音の再生を改善するための方法及びシステムが説明されている。１つの実施形態に従うと、第１のマイクロフォンが、楽器の音をピックアップするべく楽器と近接した場所に設置される。第１のマイクロフォンによりピックアップされた通りの音は、楽器の基準音（例えば正規の聴取位置で感知される通りの楽器の音）と比較される。この比較に基づき、第１のマイクロフォンがピックアップした通りの音と楽器の基準音の間の差異を補償するようにカスタムメイドのイコライザが設計される。従って、カスタムメイドのイコライザを使用することで、第１のマイクロフォンからの音の再生は楽器の基準音のものに類似した音質を有することができるようになる。上述のシステムの１つの実現においては、各フィルタについての周波数及び／又は利得の別々の制御を可能にするローパス及びハイパスフィルタをもつフィルタ配置が提供される。
2005503694.tif 000002
【特許請求の範囲】
【請求項１】
選択されたタイプのアコースティック楽器の音の高忠実度再生用システムを提供するための方法において、
（１）アコースティック楽器に近接する選択された場所に第１のマイクロフォンを設置するステップ、
（２）第１のマイクロフォンによりピックアップされた通りの音を生成するべく楽器を演奏し、楽器の基準音を演奏するステップ、
（３）楽器の基準音と第１のマイクロフォンがピックアップした通りの楽器の音を比較するステップ、及び
（４）マイクロフォンがピックアップした通りの音と基準音の間の差異を補償するよう第１のマイクロフォンのためのカスタムメイドのイコライザを設計するステップ、
を含んで成る方法。
【請求項２】
前記設置ステップにおいて、前記第１のマイクロフォンが、アコースティック楽器に取付けられている、請求項１に記載の方法。
【請求項３】
第１のマイクロフォンがピックアップした音と楽器の基準音を比較するステップが、２つの音を直接聴取することによって行なわれる、請求項第１に記載の方法。
【請求項４】
第１のマイクロフォンがピックアップした音と楽器の基準音を比較するステップが、２つの音を直接聴取することによって行なわれる、請求項２に記載の方法。
【請求項５】
ステップ（４）で設計されたイコライザの複数のセクションについて調整範囲を決定するべく同じタイプの異なる楽器を使用してステップ（１）〜（３）を反復するステップをさらに含んで成る、請求第１に記載の方法。
【請求項６】
選択されたタイプのアコースティック楽器の音の高忠実度再生用システムを提供するための方法において、
（１）アコースティック楽器に近接する選択された場所に第１のマイクロフォンを設置するステップ、
（２）アコースティック楽器から離隔した聴取場所に第２の基準マイクロフォンを位置づけするステップ、
（３）第１のマイクロフォンによりピックアップされた通りの音を生成し、第２の基準マイクロフォンによりピックアップされた通りの楽器の基準音を生成するべく、楽器を演奏するステップ、
（４）それぞれの第１及び第２のマイクロフォンによってピックアップされた通りの楽器の音の第１及び２の同時録音を行なうステップ、
（５）録音間の音響差を決定するべく第１及び第２の録音を比較するステップ、及び
（６）第１の録音と第２の録音の差を補償するよう第１のマイクロフォンのためのカスタムメイドのイコライザを設計するステップ、
を含んで成る方法。
【請求項７】
前記設置ステップにおいて、前記第１のマイクロフォンがアコースティック楽器に取付けられている、請求項６に記載の方法。
【請求項８】
ステップ（２）における聴取場所が、その部位に位置づけされた時点で楽器の最適な音質を基準マイクロフォンがピックアップできるようにするのに充分な距離だけ楽器から離隔されている、請求項６に記載の方法。
【請求項９】
ステップ（２）における聴取場所が、その部位に位置づけされた時点で楽器の最適な音質を基準マイクロフォンがピックアップできるようにするのに充分な距離だけ楽器から離隔されている、請求項７に記載の方法。
【請求項１０】
ステップ（６）で設計されたイコライザの複数のセクションについて調整範囲を決定するべく同じタイプの異なる楽器を用いてステップ（１）〜（５）と反復するステップをさらに含んで成る、請求項６に記載の方法。
【請求項１１】
第１及び第２の録音を同時に行なう第４のステップが好ましくは、マルチトラック録音媒体の別々のトラック上で録音を行なうステップを含んで成る、請求項６に記載の方法。
【請求項１２】
第１及び第２の録音を比較する第５のステップが、第１及び第２の録音の音波波形を表示するステップ、もう一方の波形に実質的に適合するように第１及び第２の波形のうちの一方を等化するステップ、及びステップ（６）で第１のマイクロフォンのためのカスタムメイドのイコライザを設計するように等化値を使用するステップを含んで成る、請求項６に記載の方法。
【請求項１３】
アコースティック楽器の音の高忠実度電子再生用システムにおいて、
予め選択されたタイプのアコースティック楽器に近接して設置されるように適合されたマイクロフォン要素、及び
マイクロフォンに結合された入力端を有するイコライザであって、該イコライザは、予め定められた最小数の電子フィルタ回路及び制御機構からなる特定の配置を有し、さらに予め選択されたタイプのアコースティック楽器の音のマイクロフォン要素による電子的再生における差異であって、前記タイプの楽器の対応する基準音と比較された差異を補償するために必要とされる最適化された制御範囲を有するイコライザ、
を含んで成るシステム。
【請求項１４】
マイクロフォン要素がさらに、楽器上の予め選択された場所に取付けられるように適合されている、請求項１３に記載のシステム。
【請求項１５】
前記イコライザが少なくとも１つのデジタルフィルタを有する、請求項１４に記載のシステム。
【請求項１６】
選択されたタイプのアコースティック楽器の音の高忠実度再生用システムを提供するための方法において、
（１）前記アコースティック楽器のうちの第１のものに近接した選択された場所に第１のマイクロフォンを設置するステップ、
（２）前記アコースティック楽器のうちの第１のものからの選択された場所に第２のマイクロフォンを設置するステップ、
（３）前記第１及び第２のマイクロフォンがピックアップした通りの音を再生するべく前記アコースティック楽器のうちの前記第１のものを演奏するステップ、
（４）前記第１及び第２のマイクロフォンからのプロセッサ信号と比較するステップ、及び
（５）前記第２のマイクロフォンからの信号と前記第１のマイクロフォンからの信号を整合させるべく前記プロセッサで第１のデジタルフィルタアルゴリズムを新規作成するステップ、
を含んで成る方法。
【請求項１７】
（６）ステップ（３）における異なる音でステップ（１）〜（５）を反復するステップをさらに含んで成る、請求項１６に記載の方法。
【請求項１８】
（６）前記第１のマイクロフォンからの信号に対し前記デジタルファイルアルゴリズムを適用するステップをさらに含んで成る、請求項１６に記載の方法。
【請求項１９】
（６）第２のデジタルファイルアルゴリズムを新規作成するべく前記アコースティック楽器のうちの第２のものについてステップ（１）〜（５）を反復するステップ、及び
（７）第１及び第２のデジタルファイルアルゴリズムを平均するステップ、
をさらに含んで成る、請求項１６に記載の方法。
【請求項２０】
（８）前記アコースティック楽器のうちの第３のものに近接して設置された第３のマイクロフォンに対して平均化したデジタルファイルアルゴリズムを適用するステップをさらに含んで成る、請求項１９に記載の方法。
【請求項２１】
アコースティック楽器の音の高忠実度電子再生用システムにおいて、
前記アコースティック楽器のうちの少なくとも１つのものに近接して設置された第１のマイクロフォン、
前記アコースティック楽器のうちの前記第１のものからの選択された場所に設置された第２のマイクロフォン、及び
前記第１及び第２のマイクロフォンに結合され、それらからの信号を比較するように適合されかつ前記第１及び第２のマイクロフォンからの信号を整合させるべくデジタルファイルアルゴリズムを新規作成するように適合されたプロセッサ、
を含んで成るシステム。
【請求項２２】
前記第１のマイクロフォンに結合され、前記第１のマイクロフォンからの信号に対し前記デジタルファイルアルゴリズムを適用するように適合されたデジタル信号プロセッサをさらに含んで成る、請求項２１に記載のシステム。
【請求項２３】
前記プロセッサが、第１及び第２のタイプの前記アコースティック楽器のための平均デジタルファイルアルゴリズムにさらに適合されている、請求項２２に記載のシステム。
【請求項２４】
第３のタイプの前記アコースティック楽器に近接して設置された第３のマイクロフォン、及び
前記第３のマイクロフォンに結合され、前記第３のマイクロフォンからの信号に対して前記平均化されたデジタルファイルアルゴリズムを適用するように適合されたデジタル信号プロセッサ、
をさらに含んで成る、請求項２２に記載のシステム。
【請求項２５】
入力信号を受信するように適合されたローパスフィルタ、
前記ローパスフィルタに対し並列に結合され前記入力信号を受信するように適合されたハイパスフィルタ、
前記ローパスフィルタ及び前記ハイパスフィルタから出力信号を受信するように適合されている加算デバイス、
を含んで成るイコライザシステム。
【請求項２６】
前記ローパスフィルタ及び前記ハイパスフィルタが互いに独立して制御されている、請求項２５に記載のシステム。
【請求項２７】
前記ローパスフィルタ及び前記ハイパスフィルタが前記フィルタの周波数及び利得のうちの少なくとも１つを修正することによって各々制御されている、請求項２６に記載のシステム。
【請求項２８】
選択されたタイプのアコースティック楽器の音の高忠実度再生用システムを提供するための方法において、
（１）空気圧センサ、振動センサ、磁気センサ、光センサ及び熱センサのうちの少なくとも１つを有する第１のマイクロフォンを、アコースティック楽器に近接する選択された場所に設置するステップ、
（２）第１のマイクロフォンがピックアップした通りの音を生成するように楽器を別々に演奏するステップ、
（３）楽器の基準音を演奏するステップ、
（４）楽器から直接の基準音と第１のマイクロフォンがピックアップした通りの楽器の音を比較するステップ、及び
（５）マイクロフォンがピックアップした通りの音と楽器から直接くる基準音の間の差異を補償するよう第１のマイクロフォンのためのカスタムメイドのイコライザを設計するステップ、
を含んで成る方法。
【請求項２９】
前記比較ステップが、コンピュータにより自動的に実施される、請求項２８に記載の方法。
【請求項３０】
前記楽器の内部キャビティへの少なくとも１つの開口部が少なくとも部分的に被覆されている、請求項２８に記載の方法、
【請求項３１】
前記楽器の内部キャビティの少なくとも一部分が、楽器からの結果としてもたらされる音に影響を及ぼすように材料で充てんされているか又は少なくとも部分的に被覆されているかの少なくとも１つの状態にある、請求項２８に記載の方法。
【請求項３２】
前記カスタムメイドのイコライザで最適化されるべく前記楽器を設計すること及び構築することのうちのいずれか１つのステップをさらに含んで成る、請求項２８に記載の方法。
【請求項３３】
前記設置ステップにおいて、前記第１のマイクロフォンがアコースティック楽器に取付けられている、請求項２８に記載の方法。
【請求項３４】
第１のマイクロフォンがピックアップした音と楽器の基準音を比較するステップが、２つの音を直接聴取することによって行なわれる、請求項第２８に記載の方法。
【請求項３５】
第１のマイクロフォンがピックアップした音と楽器の基準音を比較するステップが、２つの音を直接聴取することによって行なわれる、請求項３３に記載の方法。
【請求項３６】
ステップ（５）で設計されたイコライザの複数のセクションについて調整範囲を決定するべく同じタイプの異なる楽器を使用してステップ（１）〜（４）を反復するステップをさらに含んで成る、請求項２８に記載の方法。
【請求項３７】
選択されたタイプのアコースティック楽器の音の高忠実度再生用システムを提供するための方法において、
（１）アコースティック楽器に近接する選択された場所に第１のマイクロフォンを設置するステップ、
（２）アコースティック楽器から離隔した聴取場所に第２の基準マイクロフォンを位置づけするステップであって、前記第１および第２のマイクロフォンには、空気圧センサ、振動センサ、磁気センサ、光センサ及び熱センサのうちの少なくとも１つが内含されるステップ、
（３）第１のマイクロフォンによりピックアップされた通りの音を生成し、第２の基準マイクロフォンによりピックアップされた通りの楽器の基準音を生成するべく、楽器を演奏するステップ、
（４）それぞれの第１及び第２のマイクロフォンによってピックアップされた通りの楽器の音の第１及び２の同時録音を行なうステップ、
（５）録音間の音響差を決定するべく第１及び第２の録音を比較するステップ、及び
（６）第１の録音と第２の録音の差を補償するよう第１のマイクロフォンのためのカスタムメイドのイコライザを設計するステップ、
を含んで成る方法。
【請求項３８】
前記比較ステップが、コンピュータにより自動的に実施される、請求項３７に記載の方法。
【請求項３９】
該楽器の内部キャビティへの少なくとも１つの開口部が少なくとも部分的に被覆されている、請求項３７に記載の方法。
【請求項４０】
該楽器の内部キャビティの少なくとも一部分が、楽器からの結果としてもたらされる音に影響を及ぼすように材料で充てんされているか又は少なくとも部分的に被覆されているかの少なくとも１つの状態にある、請求項３７に記載の方法。
【請求項４１】
前記カスタムメイドのイコライザで最適化されるべく前記楽器を設計すること及び構築することのうちのいずれか１つのステップをさらに含んで成る、請求項３７に記載の方法。
【請求項４２】
前記設置ステップにおいて、前記第１のマイクロフォンがアコースティック楽器に取付けられている、請求項３７に記載の方法。
【請求項４３】
ステップ（２）における聴取場所が、その部位に位置づけされた時点で楽器の最適な音質を基準マイクロフォンがピックアップできるようにするのに充分な距離だけ楽器から離隔されている、請求項３７に記載の方法。
【請求項４４】
ステップ（２）における聴取場所が、その部位に位置づけされた時点で楽器の最適な音質を基準マイクロフォンがピックアップできるようにするのに充分な距離だけ楽器から離隔されている、請求項４２に記載の方法。
【請求項４５】
ステップ（６）で設計されたイコライザの複数のセクションについて調整範囲を決定するべく同じタイプの異なる楽器を用いてステップ（１）〜（５）と反復するステップをさらに含んで成る、請求項３７に記載の方法。
【請求項４６】
第１及び第２の録音を同時に行なう第４のステップが好ましくは、マルチトラック録音媒体の別々のトラック上で録音を行なうステップを含んで成る、請求項３７に記載の方法。
【請求項４７】
第１及び第２の録音を比較する第５のステップが、第１及び第２の録音の音波波形を表示し分析するステップ、もう一方の波形に実質的に適合するように第１及び第２の波形のうちの一方を等化するステップ、及びステップ（６）で第１のマイクロフォンのためのカスタムメイドのイコライザを設計するように等化値を使用するステップ、のうちの少なくとも１つを含んで成る、請求項３７に記載の方法。
【請求項４８】
アコースティック楽器の音の高忠実度電子再生用システムにおいて、
予め選択されたタイプのアコースティック楽器に近接して設置されるように適合され、空気圧センサ、振動センサ、磁気センサ、光センサ及び熱センサのうちの少なくとも１つを有するマイクロフォン要素、及び
マイクロフォンに結合された入力端を有するイコライザであって、該イコライザは、予め定められた最小数の電子フィルタ回路及び制御機構からなる特定の配置を有し、さらに予め選択されたタイプのアコースティック楽器の音のマイクロフォン要素による電子的再生における差異であって、前記タイプの楽器の対応する基準音と比較された差異を補償するために必要とされる最適化された制御範囲を有するイコライザ、
を含んで成るシステム。
【請求項４９】
該楽器の内部キャビティへの少なくとも１つの開口部が少なくとも部分的に被覆されている、請求項４８に記載のシステム。
【請求項５０】
該楽器の内部キャビティの少なくとも一部分が、該楽器からの結果としてもたらされる音に影響を及ぼすように材料で充てんされているか又は少なくとも部分的に被覆されているかの少なくとも１つの状態にある、請求項４８に記載のシステム。
【請求項５１】
前記楽器の設計及び構築のうちの少なくとも１つがイコライザとの使用のため少なくとも部分的に最適化されている、請求項４８に記載のシステム。
【請求項５２】
マイクロフォン要素がさらに、楽器上の予め選択された場所に取付けられるように適合されている、請求項４８に記載のシステム。
【請求項５３】
前記イコライザが少なくとも１つのデジタルフィルタを有する、請求項４８に記載のシステム。
【請求項５４】
アコースティック楽器の音の高忠実度再生用システムを提供するための方法において、
（１）前記アコースティック楽器のうちの第１のものに近接した選択された場所に第１のマイクロフォンを設置するステップ、
（２）前記アコースティック楽器のうちの第１のものからの選択された場所に第２のマイクロフォンを設置するステップであって、前記第１及び第２のマイクロフォンが、空気圧センサ、振動センサ、磁気センサ、光センサ及び熱センサのうちの少なくとも１つを有するステップ、
（３）前記第１及び第２のマイクロフォンが直接ピックアップした通りの音を再生するべく前記アコースティック楽器のうちの前記第１のものを演奏するステップ、
（４）前記第１及び第２のマイクロフォンからのプロセッサ信号と比較するステップ、
及び
（５）前記第２のマイクロフォンからの信号と前記第１のマイクロフォンからの信号を整合させるべく前記プロセッサで第１のデジタルフィルタアルゴリズムを新規作成するステップ、
を含んで成る方法。
【請求項５５】
前記比較ステップが、コンピュータにより自動的に実施される、請求項５４に記載の方法。
【請求項５６】
該楽器の内部キャビティへの少なくとも１つの開口部が少なくとも部分的に被覆されている、請求項５４に記載の方法。
【請求項５７】
該楽器の内部キャビティの少なくとも一部分が、結果としてもたらされる音に影響を及ぼすように材料で充てんされているか又は少なくとも部分的に被覆されているかの少なくとも１つの状態にある、請求項５４に記載の方法。
【請求項５８】
前記カスタムメイドのイコライザで最適化されるべく前記楽器を設計すること及び構築することのうちのいずれか１つのステップをさらに含んで成る、請求項５４に記載の方法。
【請求項５９】
（６）ステップ（３）における異なる音でステップ（１）〜（５）を反復するステップをさらに含んで成る、請求項５４に記載の方法。
【請求項６０】
（６）前記第１のマイクロフォンからの信号に対し前記デジタルファイルアルゴリズムを適用するステップをさらに含んで成る、請求項５４に記載の方法。
【請求項６１】
（６）第２のデジタルファイルアルゴリズムを新規作成するべく前記アコースティック楽器のうちの第２のものについてステップ（１）〜（５）を反復するステップ、及び
（７）第１及び第２のデジタルファイルアルゴリズムの結果を平均し、新しいデジタルアルゴリズムを新規作成するステップ、
をさらに含んで成る、請求項５４に記載の方法。
【請求項６２】
（８）前記アコースティック楽器のうちの第３のものに近接して設置された第３のマイクロフォンに対して平均化したデジタルファイルアルゴリズムを適用するステップをさらに含んで成る、請求項６１に記載の方法。
【請求項６３】
アコースティック楽器の音の高忠実度電子再生用システムにおいて、
前記アコースティック楽器のうちの少なくとも１つのものに近接して設置された第１のマイクロフォン、
前記アコースティック楽器のうちの前記第１のものからの選択された場所に設置され、前記第１及び第２のマイクロフォンが空気圧センサ、振動センサ、磁気センサ、光センサ及び熱センサのうちの少なくとも１つを有する第２のマイクロフォン、及び
前記第１及び第２のマイクロフォンに結合され、それからの信号と比較するように適合されかつ前記第１及び第２のマイクロフォンからの信号を整合させるべくデジタルファイルアルゴリズムを新規作成するように適合されたプロセッサを含んで成るシステム。
【請求項６４】
該楽器の内部キャビティへの少なくとも１つの開口部が少なくとも部分的に被覆されている、請求項６３に記載のシステム。
【請求項６５】
該楽器の内部キャビティの少なくとも一部分が、該楽器の結果としてもたらされる音に影響を及ぼすように材料で充てんされているか又は少なくとも部分的に被覆されているかの少なくとも１つの状態にある、請求項６３に記載のシステム。
【請求項６６】
該楽器の設計及び構築がイコライザとの使用のために少なくとも部分的に最適化されている、請求項６３に記載の方法。
【請求項６７】
前記第１のマイクロフォンに結合され、前記第１のマイクロフォンからの信号に対し前記デジタルファイルアルゴリズムを適用するように適合されたデジタル信号プロセッサをさらに含んで成る、請求項６３に記載のシステム。
【請求項６８】
前記プロセッサが、前記アコースティック楽器のうち第１及び第２のもののための平均デジタルファイルアルゴリズムにさらに適合されている、請求項６７に記載のシステム。
【請求項６９】
第３のタイプの前記アコースティック楽器に近接して設置された第３のマイクロフォン、及び
前記第３のマイクロフォンに結合され、前記デジタルフィルタアルゴリズムの結果を新しいデジタルアルゴリズムへと平均化し、前記第３のマイクロフォンからの信号に対して前記平均化されたデジタルファイルアルゴリズムを適用するように適合されたデジタル信号プロセッサ、
をさらに含んで成る、請求項６７に記載のシステム。
【請求項７０】
入力信号を受信するように適合されたローパスフィルタ、
前記ローパスフィルタに対し並列に結合され前記入力信号を受信するように適合されたハイパスフィルタ（なおここで、前記ローパスフィルタの周波数極及びローパスフィルタの周波数極は互いに独立して制御されている、
前記ローパスフィルタ及び前記ハイパスフィルタから出力信号を受信するように適合されている合計デバイス、
を含んで成るイコライザシステム。
【請求項７１】
前記ローパスフィルタ及び前記ハイパスフィルタが前記フィルタの利得を修正することによって付加的に別々に制御されている、請求項７０に記載のシステム。
【発明の詳細な説明】
【技術分野】
【０００１】
発明の背景
（発明の分野）
本発明は、コンサートまたはレコーディング用の楽器、具体的にはアコースティック楽器のマイクロフォン・ピックアップ及び電気的増幅に関するものである。
（背景技術）
楽器が発する音を電子的に再生するためのピックアップには、大きく分けて圧力及び振動の２つのタイプがある。圧力ピックアップまたは圧力マイクロフォンは、空気中の音圧変動に応答して振動する隔膜を有する。隔膜の振動は電気信号に変換される。人間の耳も同じように機能する隔膜を有するので、楽器から最適の距離に配置される良質な圧力型マイクロフォンの音響応答は、所定の部屋の中において楽器の音に近い。ただし、圧力型マイクロフォンは、アイソレーション、配置及びフィードバックの点で問題を呈する。
【０００２】
アイソレーションの問題は、望ましい音源（増幅したい一つ又は複数の楽器）及び望ましくない音源（例えば、咳または別個に増幅したい別の楽器）の両方から発せられる音をピックアップすることから生じる。アイソレーションの問題を最小限に抑えるための従来の方法は、マイクロフォンをピックアップ対象の楽器に近接して配置すること、及び不要な方向からの音を受け入れなくするいわゆる指向性マイクロフォンを使用することであった。
【０００３】
音は逆２乗法則により放射状に広がるので、マイクロフォンを楽器のより近くに動かすと、他の音源の音に比べて選ばれた楽器からの音の振幅を増すことによってアイソレーションの問題が小さくなる。ただし、この解決法は配置の問題を大きくする。楽器は、バイオリンの弦、共鳴箱及び前面及び裏面など様々な部分から音を発する。楽器を聴く通常の距離では、楽器の特徴的な音は各部分から発せられる音の融合体である。
【０００４】
楽器に近接するエリア（特に１フィート位の範囲内）の異なる地点では、全く異なる音が生じ、聴き手はそのほとんどまたは全てを不自然と感じるだろう。極端に近い（数インチ以下）場合、音の差は誇張されるので、１つの地点の音は別の地点の音と全く異なり、何の楽器を聴いているのか分からなくなることがある。また、楽器が静止しておらず、ミュージシャンが抱えている場合（ギター、バイオリン、フルートなど）、演奏者の通常の小さい動きでもダイナミックレベル（音量）及び音質に思わぬ望ましくない変化を生じる。
【０００５】
フィードバックは、アイソレーション及び配置の問題から生じる特殊な状況であり、典型的には演奏者が演奏者の方向に向けられたモニタスピーカを聴くことによって自身の演奏を聴くライブ・タイプの演奏中に生じる。これにより、モニタスピーカは、最初に音をピックアップするために使用されるマイクロフォンにも向けられる。これにより、スピーカ増幅器を飽和状態まで駆動する正のフィードバック・ループを形成し、大きな唸りが生じる可能性がある。フィードバックの通常の補正は指向性マイクロフォンを使用することであるが、これはあまり役立たない。最後の手段として、楽器自体に取付けられる振動ピックアップが使用されてきた。この種のピックアップは、取付けられている場所における楽器の振動（接触ピックアップ）あるいは弦楽器の金属弦の振動（磁気誘導ピックアップ）を感知する。上記のピックアップはモニタ・スピーカまたはその他の楽器によって生じる空気中の音に応答しないので、フィードバック及びアイソレーションの問題は大幅に減少する。また、この種のピックアップは楽器に取付けられ楽器と一緒に移動するので、演奏者の動きによって生じる音量及び音質の変化の問題も排除される。
【０００６】
しかし、接触ピックアップまたは誘導ピックアップを使用することの欠点は、非常に忠実度が低くなることである。例えば、バイオリンの弦または響板の振動は、楽器の周りの空気の振動とは全く異なる。しかし、楽器の「アコースティック・サウンド」として定義されるものは、上述の通り、その楽器のすべての部分の振動の和に応答して空気中に生じる振動として耳が聞くものである。従って、これらの変換器は自身の音を持つ新たな電気楽器（特に電気ギター及び電気ベース）を開発する上では非常の効果的であった。しかし、その能力は、アコースティック楽器の音を高い忠実度で再生する点では限界がある。
【０００７】
上記の理由から、アコースティック楽器によるライブ音楽を電子的に変換しフィルタリングするために現在行われているものは、単一の楽器または一群の楽器の近くでこれに向けてセットされる高品質の指向性マイクロフォン（単数または複数）を使用するものである。上記のマイクロフォンは、特定のケーブルを通じて特定の前置増幅器に信号を送る（前置増幅器は、時にはマイクロフォンに電力を送る）。前置増幅器は、汎用イコライザ及びミキシング回路に接続される。例えば、ロックバンドにおいて典型的なドラム・セット（５つのドラム、１つのハイハット、２つのシンバル）の場合、各ドラム及びハイハットごとにドラムのすぐ近くのスタンドに１つずつ指向性マイクロフォンが据え付けられ、ステレオ効果のため及びシンバルの音をピックアップするために２つの「オーバーヘッド」指向性マイクロフォンが設置される。２つのオーバーヘッド・マイクロフォンは、大きな金属ハムをピックアップしないようにするためにシンバルから少なくとも１フィート程度離さなければならない。ギターの場合には、上記のマイクロフォンのうち１つか２つを１フィートから３メートル離れた距離に配置してもよい。
【０００８】
前述の通り、同じ種類の楽器の従来の「アコースティック」形式によって発せられる音とは異なるタイプの音を生み出すために、個々の楽器（典型的にはギター）に直接ピックアップ装置を取付けることも一般的である。この種のピックアップは、ギターの響板など楽器のある部分の振動を感知する。この種のピックアップの例は、Ｎｙｌｅｎの米国特許第４，０５１，７６１号、Ｏｌｉｖｅｒの第４，１４３，５７５号、Ｙａｍａｇａｍｉの第４，４２３，６５４号、Ｄｕｇａｓの第４，４８１，８５４号、Ｂａｒｃｕｓの第４，８３７，８３６号、Ｒｉｂｏｌｏｆｆの第５，１３６，９１８号及びＭｃＣｌｉｓｈの第５，２０６，４４９号において説明されている。アコースティック楽器またはいわゆる電気または電子楽器に取付けられる上記の振動感知ピックアップからの増幅された音は、アコースティック楽器によって発せられ楽器から離れて据え付けられる圧力式マイクロフォンが感知する音とはそもそも異なるものである。そのため、振動ピックアップは、アコースティック楽器の音を高い忠実度で電子的に再生するためには適さない。
【０００９】
従来例では、空気圧装置以外の変換器を含む比較的忠実度の低いマイクロフォンについて言及しているが、以下の発明の要約及び詳細な説明において示した方法及び実施形態を用いると、どのような装置の品質も大幅に改良することができる。さらに、センサ・タイプを組み合わせることによって一定の利点を得ることができる。
【００１０】
特定の目的にために楽器に直接小型感圧マイクロフォンを取付けることはすでに提案されている。例えば、１９８９年６月６日にＢａｒｃｕｓに発行された米国特許第４，８３７，８３６号は、楽器一般の音をピックアップするために従来の据え置き型マイクロフォンを使用することの欠点に対処し、さらにまたアコーディオンまたはハーモニカに近接して標準サイズのマイクロフォンを保持するか直接これに小型マイクロフォンを取付けることの欠点に対処している。これらの欠点には、近くのスピーカからのフィードバック、及びアコーディオン及びハーモニカの細長いリード・バンクの局部から生じる音の望ましくない強調、すなわちその音のリードがマイクロフォンが取付けられる場所の付近にあることによる音量の増大が含まれる。
【００１１】
先行技術の配置の欠点を克服するために、Ｂａｒｃｕｓは、小型圧力式マイクロフォン・カプセルが埋め込まれるピックアップ・モジュールを提供している。このモジュールは、相対する側を向く開放端の間に伸びる細長く狭い音の案内路を有し、マイクロフォンの音響感知表面は案内路の中央部と連絡する。狭い音の案内路は、マイクロフォン用の２葉方向感知パターンを形成していて、このモジュールがハーモニカまたはアコーディオンの細長いリード・バンクの中央に取付けられるときに、全ての音により均等に応答する。Ｂａｒｃｕｓは、また、このモジュールは他の楽器に使用することができ、特にフィードバック、望ましくない室内空間の音のピックアップ及びドラム前面に据えられる従来のマイクロフォンに生じる臨場感の欠如を防止するためにドラムの皮の縁近くでドラムの皮に取付けることができる、とも示唆している。
【００１２】
特徴的な周波数帯域（各音源によって異なる）を説明するためにしばしば使われる主観的用語である臨場感の欠如については、本発明者は注目していなかった。しかし、本発明者が多様な形状を使って行った試験において、マイクロフォンの周りの空洞の形状によって、強い不自然な（そして不快な）可聴周波数ピークが生じることに気が付いた。このような形状のマイクロフォンの囲いは、楽器の音響を再生するためになされる努力によって解決される以上の問題を必ず付加する。Ｂａｒｃｕｓの特許は、周波数応答の改良を示すように見えるグラフを含んでいるが、これは、単に音の間の音量の均等性の改良を示しているにすぎない。本発明者のテスト結果は、高忠実度の基準に比較すると各音の周波数応答がひどく劣化することを示している。
【００１３】
１９９３年１１月１６日にＯｂａその他に発行された米国特許第５，２６２，５８６号は、アコースティック楽器によって発せられる音を修正するためのアコースティック楽器用サウンド・コントローラを開示している。ピアノを使った例において、（１）弦の駒及び振動止めに取付けられる振動センサ、（２）弦に近接する電磁ピックアップ・ユニット及び（３）響板に取付けられるマイクロフォン、を有する検出ユニットの出力はデジタル処理装置に送られる。音の大きさ、遅延、等化及び位相差を制御するためのさまざまなタイプのセンサによって作動されるプロセッサは、その出力を、ピアノの響板及びケースボードに取付けられる振動アクチュエータに送る。アクチュエータが付加的な振動を生成して修正された質のアコースティック・サウンドを生成するように、パラメータ決定手段は各種プロセッサを調整する。このように、Ｏｂａその他は、楽器を演奏することによって発生する音及び振動を振動ユニットに送り、振動ユニットが楽器の音響出力を改めるように、楽器の内部に取付けられる数種のピックアップの１つとしてマイクロフォンを使っている。Ｏｂａその他は、未修正の出力を記録または増幅するように楽器の音響出力に応答して電子信号を生成するためには、これらのマイクロフォンを使っていない。従って、先行技術の装置のどれも、アコースティック楽器の音の電子的再生において遭遇するマイクロフォンのアイソレーション及び配置の問題に対して高い忠実度の解決法を提供していない。現在、個別の場合に、音響技術者が高度な設備を使うことによって慎重に調整しない限り成功しない。
（発明の要約）
本発明は、独奏または合奏楽器に使用されるシステム（マイクロフォン、取付けメカニズム及び関連前置増幅器、イコライザ及びプロセッサ）を設計するための方法、及びこの方法によって設計されるシステムを提供する。このシステムの主要な特徴は、楽器の近く、楽器に直接またはその内部に配置される１つまたはそれ以上のマイクロフォンを使用することである。例えば、マイクロフォンを楽器に直接にまたはその中に永久的に取付けるか、特定の楽器のために設計されるクリップを使って楽器に一時的に取付けることができる。実現可能でありかつ望ましい場合にはマイクロフォンをスタンドで支えることもできる。適切な品質のどのようなマイクロフォンでも差し支えないが、小型マクロフォンは（特に楽器に取付けられる場合）２つの利点を持つ。第一に、正確に配置するのがより容易であり、通常のマイクロフォンが適合しない場所で機能する。第二に、非固定（例えば手持ち）楽器と一緒に動くので、マイクロフォンに対して相対的に楽器が動くときに生ずる音質の不要な変化を防ぐ。本明細書において使用される場合、「マイクロフォン」という用語は空気圧センサ、振動センサ及び磁気センサなど多様な装置を含むことが、当業者には分かるであろう。マイクロフォンは、また、光センサ及び熱センサまたは上記のセンサの組み合わせなど、他のタイプのセンサも含むことができる。
【００１４】
このシステムは、少なくとも１つのマイクロフォンとタンデム接続されこれに近接して（８メートル未満で、３メートルから６メートルまでが望ましい）配置される適切に設計されたマイクロフォン前置増幅器を含むことができる。マイクロフォン前置増幅器は、（必要であれば）マイクロフォンにＤＣ電力を送るとともに、マイクロフォンからの音声信号を受信して最初に増幅する。
【００１５】
このシステムのもう１つの特徴は、各タイプの楽器用に、特に各タイプの楽器の予め選ばれた最適のマイクロフォン設置場所用に「カスタムメイド」（”ｔａｉｌｏｒ  ｍａｄｅ”）されるイコライザ・ユニットである。イコライザは、従来のローパス・フィルタ、ハイパス・フィルタ、バンドパス・フィルタ及び（または）ノッチ・フィルタまたはその他のプロセッサを適宜含むことができる。４つまたはそれ以上の調節可能なフィルタを有し、各フィルタごとに最高３つの制御装置（合計で１２あるいはそれ以上のノブ）を有する従来の汎用イコライザと異なり、このユニットは、通常の聴取地点での楽器の音とマイクロフォン取付け地点での音の間の差を補正するために必要な最小限の数及びタイプのフィルタしか持たない。各フィルタの制御は、個々の楽器の間の変化に十分な融通性を持たせられる最小限の有効範囲に制限することができる。
【００１６】
各イコライザは、前置増幅器と結合して小型の軽量パッケージにすることができ、これを演奏者に近接して据え付けることができる。これによって、個々のミュージシャンは、マスタ・イコライザ・コンソールで複雑な複数の調整を行う熟練した音響技師の必要なく、自身の望ましい「音」を得ることができる。
【００１７】
システムの上記の特徴は、バンドまたはオーケストラ用の音声入力設備のコストを著しく削減し、コンサートまたはレコーディング・セッションのための設備のセットアップに必要とされる時間を大幅に短縮する。また、ミュージシャンまたはその他の者によって、現在は音響技術者しか達成できないことが遂行できるようになる。
【００１８】
本明細書において使用される場合、「楽器の基準音」とは、取付けられるマイクロフォン及びカスタムメイドイコライザによって音質の点で再生することが望まれる楽器が発する音を意味する。単純な形態においては、それは演奏され通常の環境で聴かれる楽器の音を意味する（ただし、一般的に音響に対する部屋の影響を除いて）。例えば、ギター奏者が快適で乾燥した（反響しない）防音室においてギターを演奏する場合、「楽器の基準音」は、その部屋における良好な／通常の聴取位置における音響シグナチャーとなる。第二の基準方法は、高品質の基準マクロフォンがこの音をピックアップするためにいつ使われるかであり、第三の基準方法は、マイクロフォン信号が高品質記憶装置（デジタル・テープ・レコーダなど）にいつ記録されるかである。
【００１９】
マイクロフォン基準を使用する場合、基準マイクロフォンが楽器の最適の音質をピックアップできるようにするために、聴取場所を楽器から十分な距離離すことが望ましい（一般的に言って、楽器からの距離は楽器の幅に等しい）。この地点は、室内の音を避けなければならない。部屋自体が、マイクロフォンが受け取る音への関与を最小限に抑えるように作られなければならない。これを一般的な専門用語で言えば、マイクはミッドフィールド・ポジションに配置され、部屋は乾燥しているまたは音が消される（字義的には「音をそぐ」）、となる。無響室は設計過程の特定の局面を容易にし、ことによるとより正確にするので、無響室が理想的な部屋である。ただし、この種の部屋はまれであり、非常にコスト高であり、この方法にとって必要ではない。
【００２０】
特に、本発明は、選ばれたタイプのアコースティック楽器を高い忠実度で再生するためのシステムを設計するため、及びこのシステムの実施形態を提供するための方法を提供する。この方法は、下記のステップを含む、
（１） アコースティック楽器に近接して第一のマイクロフォンを設置する、
（２） 第一のマイクロフォンによってピックアップされる音を発するために楽器を演奏し、その楽器の基準音を演奏する、
（３） 第一のマイクロフォンによってピックアップされる楽器の音を楽器の基準音と比較する、
（４） マイクロフォンによってピックアップされる音と楽器の基準音の間の差を補償するためにカスタムメイドのイコライザを設計する。
【００２１】
本発明の方法はさらに下記のステップを含むことができる、
楽器の演奏を妨げない複数の取付け位置に第一のマイクロフォンを順次配置することによって、ステップ１における取付け位置を選択する、
楽器の基準音を発するために楽器を演奏する、
各取付け位置において第一のマイクロフォンによってピックアップされる音と楽器の基準音を比較する、
増幅されたマイクロフォンの音が楽器の基準音にもっとも近い取付け位置を選択する。
【００２２】
第一のマイクロフォンによってピックアップされる音と楽器の基準音とを比較するステップは直接２つの音を聴くことによって行うことができるが、この方法の望ましい実施形態は下記のステップを含む、
（１）アコースティック楽器に近接して第一のマイクロフォンを配置する、
（２）アコースティック楽器の適切な聴取場所（上述の通り通常はミッドフィールド）に高品質の第二の基準マイクロフォンを配置する、
（３）第二の基準マイクロフォンによってピックアップされる楽器の基準音を発するために楽器を演奏する、
（４）それぞれ第一及び第二のマイクロフォンによってピックアップされる楽器の音の第一及び第二の録音を同時に行う、
（５）第一と第二の録音の聴覚的差を判定するために第一の録音と第二の録音を比較する、
（６）第一の録音と第二の録音の差を補償するために第一のマイクロフォン用のカスタムメイドイコライザを設計する。
【００２３】
本発明の方法は、さらに、ステップ（６）において設計されるイコライザのセクションの調整範囲を判定するために同じタイプの様々な楽器を使って上記のステップ（１）から（５）までを反復するステップを含めることができる。
【００２４】
第一の録音と第二の録音を同時に行う第四のステップは、デジタル録音媒体またはその他の高品質録音媒体への多重トラック録音を含むことが望ましい。
【００２５】
第一の録音と第二の録音を比較する第五のステップは、第一及び第二の録音の音波波形を表示し分析するステップ、他方の波形に実質的に一致するように第一の波形及び第二の波形のうち一方を等化するステップ、及びステップ（６）において第一のマイクロフォン用のカスタムメイドイコライザを設計するために等化値を使用するステップ、を含むことが望ましい。
【００２６】
本発明は、また、アコースティック楽器の音を高い忠実度で電子的に再生するためのシステムを提供する。このシステムは下記のものを備える、
マイクロフォン素子（単数または複数）、
適切で有利な場合には、マイクロフォン取付け装置、
入力側がマイクロフォンに結合されているイコライザ、イコライザは予め決められた最小数の電子フィルタ回路、制御装置を含み、制御範囲は、予め選択されたタイプの楽器の該当基準音と比較してそのタイプのアコースティック楽器の音のマイクロフォン素子による電子的再生との差を補償するために最適化される。
【００２７】
取付け装置は、取り外し可能にマイクロフォンを楽器に取付けるための装置を含むことができ、この装置は、楽器が発する音の改変を防止しまたはこれを最小限に抑え、演奏者が楽器を障害なしに演奏できるようにするために、特定の楽器の予め決められた場所に取付けられるように特に設計される。
【００２８】
イコライザは、楽器のタイプに応じて１つまたはそれ以上のタイプの電子フィルタを備えることができる。例えば、アコースティック・ギター用のカスタムメイドイコライザは、１つのハイパス・フィルタ及び２つのノッチ（バンド除去）フィルタを有する。トムトム・ドラムのイコライザは、１つのハイパス・フィルタ及び１つのローパス・フィルタを有する。バス・ドラムのイコライザは、３つのハイパス・フィルタ及び１つのローパス・フィルタ、合計５つの制御装置を有する。ハイハット及びシンバルのイコライザは、単一のノッチ・フィルタと（ただし、３つの制御装置と）直列の１つのハイパス・フィルタしか持たない。
【００２９】
楽器の空洞の口を覆うこと（例えばギターの孔またはバイオリンの孔を覆うこと）は、増幅システムからの音響的フィードバックを減少するのに役立つことは技術上既知である。上記の口は、一般に（また、本明細書において）響孔と呼ばれる。例えば、多くのギターに見られる丸い孔を覆うための各種のプラグ及びカバーは、楽器店で市販されている。これは、特に低周波数領域において楽器の音に大きな影響を持ち、楽器の音色のバランスを甚だしく変える。楽器のアコースティック・サウンドの点で、一般的に言ってこれは演奏者にとってまたは聴衆にとって好ましくない。
【００３０】
楽器内部に変換器を配置すること、及び楽器の本体は直接音響システム・エネルギーのほとんどから変換器を遮蔽するので、変換器を楽器の外側に配置する場合と比較して楽器の中に変換器を配置すると近くの音響増幅システムからの音響的フィードバックを減少するのに役立つことは、技術上既知である。ギター及びドラム内部に配置するための各種の変換装置が楽器店で市販されている。しかし、楽器内部の音は、たとえ最適に選択された変換器設置場所でも、通常、楽器の通常の音である楽器外部の音より著しく劣る。
【００３１】
楽器の響孔を覆うことによって加えられる変化は、一般的に言って、楽器の外側にある装置または聴き手にとっての楽器の音質を下げるが、本発明の他の特徴と一緒に使われる場合、変換器の適切な設計及び配置とともにこの変更を加えて、楽器内部に最適に配置される変換器の出力を明確に改良することができる。また、響孔が覆われない場合の同じ内部変換器と比べて、または響孔にカバーを付けた場合でも楽器外部に配置される同様の変換器と比べて、響孔の被覆は、内部変換器からのフィードバックへの抵抗を著しく増大する。
【００３２】
楽器内部の音響特性は同じ楽器の外部の音響特性と非常に異なることは技術上既知である。密閉されたまたは部分的に密閉された多様な囲い内部の波動の力学については、標準的物理の教科書において説明されている。ここで重要なのは、この種の空間内部における複合的反射であり、複合的反射は、例えば音を発するスピーカ・コーンを押したり引いたりすることによりスピーカ・コーンの動きに影響を与える可能性がある。従って、ラウドスピーカ・キャビネットの構造において、一般的スピーカ・キャビネットの内面の少なくとも半分（１側面、上面または下面、及び裏面）の内部は、反射がスピーカ・コーンに達するのを妨げるために吸音材で被覆されることが多い。
【００３３】
楽器構造において、内部反射は、一般に楽器が発する音の一部であると想定され、楽器の設計においては本来的に見込まれていることが多い。そうであっても、例えばバス・ドラムの内部には、聴き手及びドラム内部あるいは外部に配置されるマイクロフォンが知覚するドラムの音を変えるために、布、ピロウなどを配置することが一般的である。また、このために、楽器内部の一定の部分をフェルトなどの吸音材で覆うか、楽器内部の空間の一部に適切な材料を充填することも可能である。上記の材料は永久的に楽器に取付けるか、または有利な場所にフェルトまたはその他の適切な材料を単に置くことができる。
【００３４】
ある楽器または楽器のタイプにおいて被覆され（または）充填されるエリアのサイズ及び配置は、変換器の配置場所の変化に伴って変化し、任意の状況または状況の組み合わせでの実験、その測定または分析によって決定することができる。選ばれた小さいエリアを被覆することで有益な結果が得られることが多く、大きなエリアを被覆しても通常の聴取位置において楽器の音に対する影響はわずかである可能性あるので、楽器の演奏者にとって反対すべきことではないかも知れない。
【００３５】
本発明は、これらの技術を使って改良することができる。また、システムの他の多くの局面と同様、上記の改良には一貫性を見出すことができ、この一貫性は命令または装置としてユーザーにとって有益となりうる。本発明を延長すれば、必要であれば本発明の実施なしに使用される場合もっと劣る音になることと引き換えに、本発明に使用するのに特に適する音響特性を有する既知のまたは全く新しいタイプの楽器を設計し組み立てることになるだろう。
【００３６】
本発明の上記の及びその他の特徴及び利点は、望ましい実施形態の詳細な説明と関連して図面に示されている。
［詳細な説明］
本発明に従えば、マイクロフォン・アセンブリは、Ｂｒｕｅｌ及びＫｊａｅｒが製造するＤＰＡ４０６０型マイクロフォンなど全指向性または単一指向性マイクロフォンなどのマイクロフォンを含む。マイクロフォン素子は、アコースティック楽器の外面またはその中の予め決められた点にマイクロフォン・アセンブリを一時的に取付けることができるようにするためにクリップまたはハウジングに取付けることができる。必要な場合には他の一時的取付け措置を講じることができる。クリップまたはその他の取付け装置は、マイクロフォンが取付けられる楽器構造の質量負荷を最小限に抑えるように選択される。場合によっては、適切な手段によって特定の楽器に永久的にマイクロフォン・アセンブリを取付けることが好ましい場合がある。楽器にマイクロフォンを取付ける代わりに、マイクロフォンを楽器に近接して配置することができる。
【００３７】
図１を参照すると、本発明の１つの実施形態に従って構成されるイコライザ・システムの全体ブロック図が示されている。ブロック１０は、下に説明される楽器などの楽器を表している。楽器１０が発する音は、（例えば、楽器に取付けられる）マイクロフォン１１によってピックアップされる。マイクロフォン１１によってピックアップされた音はマイク電源（必要な場合には）及び増幅器１２及び専用プロセッサ１３（例えば下に説明する特性のイコライザ）に送られる。専用プロセッサ１３の出力は、その後記録装置、拡声（ＰＡ）システム、スピーカ・システムなど適切な出力装置１４に送られる。
【００３８】
特定のタイプのアコースティック楽器用にカスタムメイドマイクロフォン及びイコライザ・システムを設計するための本発明の方法を実施する際、第一のステップは、マイクロフォンを楽器に近接して配置することである。その代わりに、マイクロフォンを選ばれたタイプの楽器の外面または内部のある位置に取付けることができる。取付け位置は、楽器から離れた通常の聴取場所で聞くときまたは感知するときの楽器の音響シグナチャーとできる限り異ならない空中音響シグナチャーを感知することを考慮して予め選択される。「聴取場所」という用語は、聴取者のいる場所、または増幅のために音をピックアップするための基準マイクロフォンの設置場所のうちいずれかを意味する。
【００３９】
通常の聴取場所を構成するものには、どの程度の（もしあれば）「室内音」（すなわち、残響音）が望ましいかが含まれる。楽器の音は各部屋によって異なり、１つの部屋の場所によってもかなり変化する。音響技術者は、楽器の音が室内音によって増強される場所を「ファー・フィールド」と呼び、楽器の音が実質的に室内音の影響を受けない場所を「ミッド・フィールド」または「ニア・フィールド」と呼ぶ。
【００４０】
レコーディングまたは放送の状況によっては、カーネギー・ホールなど非常に優れた音響環境における合奏またはオーケストラの場合、音響補強が必要とされない限り、室内音を含めるためにファー・フィールドにマイクロフォンを使用すると、すばらしい結果を生じる可能性がある。ただし、聴取場所の選び方が悪いと室内音が全くない場合より悪い結果となる可能性があるので、室内効果は望ましくない場合のほうが多い。無響室においては、または厚いカーテンまたはカーペットが施された部屋においてでも、残響音は基本的に排除されて、聴取場所に関係なく室内音はない。無響室に費用をかけることなくアコースティック楽器の音に対する室内音の効果を排除するために、音響補強及び録音・放送業界の両方において、ミッド・フィールドと呼ばれるところに配置される単一指向性マイクロフォンを使用することが一般標準になってきている。マイクロフォンは楽器全体の自然の音を捉えるのに十分な距離離れて、しかも室内音を避けるためにできるだけ近くに配置される。この距離は、一般的に言って、その楽器または楽器のグループの平均寸法にほぼ等しい。
【００４１】
単一指向性マイクロフォンは、不要な方向から来る音の一部を受け入れないだけであり、一部の不要な音は楽器の背後から来るので、ミッド・フィールドの聴取位置でも、かなりの量の室内音及びその他の音がピックアップされる可能性がある。これを排除するために、マイクロフォンは、楽器から約０インチから１２インチ離れたニア・フィールドに配置される。これは「近接マイク」として知られる。これは、音のエネルギーに対する音源からの距離の逆自乗の関係のために、室内音またはその他の音に対する楽器の音の比を大幅に増大する。ただし、近接マイクは、聴き手が慣れている音より不自然な音を生じる。楽器を演奏するミュージシャンの耳でさえ、ほとんどの場合近接マイクより遠い。近接マイク音の性質を改良するためには、通常、各種の処理設備が必要とされる。本発明は、以下に示す通り、これを改良しこれを最適化する。ただし、楽器によっては、特にドラムセット・コンポーネント及び特定のボーカル・スタイルの場合、これらの楽器のもっとも一般的な聴取体験は近接マイク録音または演奏によるので、「近接マイク」の音は一般音楽標準になってきている。近接マイクがさらに広く使用されるようになると、他の楽器はこのように定義される「音」を持つことになるかも知れない。
【００４２】
ほとんどの場合、設備及び音響特性の点で専門的なレコーディング・スタジオに匹敵する試聴室を持つことが望ましい。下記の設備リストは例として示されている、
単一指向性ダイナミック基準マイクロフォン（ＲｅｆＭｉｃ１）−Ｓｅｎｎｈｅｉｓｅｒ  Ｍｏｄｅｌ  ＭＤ４４１スーパーカージオイド・ダイナミック、
単一指向性コンデンサ基準マイクロフォン（ＲｅｆＭｉｃ２）−Ｎｅｕｍａｎｎ  Ｋ１５０ハイパーカージオイド・コンデンサ、
全指向性ダイナミック基準マイクロフォン（ＲｅｆＭｉｃ３）−Ｓｅｎｎｈｅｉｓｅｒ  Ｍｏｄｅｌ  ＭＤ２１１ダイナミック、
マイクロフォン前置増幅器（Ｍｉｃ  Ｐｒｅａｍｐ１）−Ｊｏｈｎ  Ｈａｒｄｙ  Ｍｏｄｅｌ  Ｍ１、
マイクロフォン前置増幅器（Ｍｉｃ  Ｐｒｅａｍｐ２）−Ｓｙｍｅｔｒｉｘ  Ｍｏｄｅｌ  ２０１、
パラメトリック・イコライザ（ＥＱ１）−Ｏｒｂａｎ  Ｍｏｄｅｌ  ６２１Ｂ（４帯域／チャネル）、
パラメトリック・イコライザ（ＥＱ２）−Ｓｙｍｅｔｒｉｘ  Ｍｏｄｅｌ  ＳＸ２０１（３帯域／チャネル）、
グラフィック・イコライザ（ＥＱ３）−ＤＯＤ  Ｍｏｄｅｌ  Ｒ−２３１（１／３オクターブ／帯域、３１帯域／チャネル）、
モニタ増幅器（Ａｍｐ）−Ｍａｃｉｎｔｏｓｈ  Ｍｏｄｅｌ  ６２００
小型ニアフィールド・モニタ・スピーカ（Ｓｐｋｒ１）−Ｒｏｇｅｒｓ  Ｍｏｄｅｌ  ＬＳ３／５Ａ、ＢＢＣニアフィールド基準ゲージ
大型モニタ・スピーカ（Ｓｐｋｒ２）−ＵＲＥＩ  Ｍｏｄｅｌ  ３５９  Ｒｏｏｍ  Ｅｑｕａｌｉｚｅｒによって部屋にあわせて調整されるＴａｎｎｏｙ  Ｄｕａｌ−Ｃｏｎｃｅｎｔｒｉｃ  １２インチ、
ミキサ（Ｍｘｒ）−Ｈｉｌｌ  Ｍｏｄｅｌ  Ｂ３  ２４ｘ８ｘ２（５５３２の演算増幅器を使用）
多重チャネル・オーディオ・テープ・レコーダ−４８ｋＨｚで作動されるＡｌｅｓｉｓ  Ｄｉｇｉｔａｌ  Ａｕｄｉｏ  Ｔａｐｅ（ＡＤＡＴ）多重チャネル・レコーダ、
リアルタイム・アナライザ（ＲＴＡ）−較正済みマイクロフォン（ＡＮＳＩクラスＳ１．１１−１９７１）を持つＡｕｄｉｏ  Ｃｏｎｔｒｏｌ  Ｍｏｄｅｌ  ＳＡ−３０５０Ａ  １／３オクターブ。
【００４３】
上記のリストは、完全なものではなく、各ケースにおいて製造者及び型式の選択は排他的であることを意図していない。匹敵する質のまたはより良い質の他の型及び型式を使用することができる。
【００４４】
基準マイクロフォンの選択は、聴取場所の選択に応じて変わる。ただし、コンデンサ・マイクロフォン（ＲｅｆＭｉｃ２）といくつかのダイナミック・マイクロフォン（ＲｅｆＭｉｃ１）とを繰り返し比較した結果、ほとんど大きな差は示さず、通常、ＲｅｆＭｉｃ  １を使用すれば十分である。
【００４５】
発明の要約において述べた通り、「楽器の基準音」とは、取付けられたマイクロフォン及びカスタムメイドイコライザによって音質の点で再生されることが望まれる楽器が発する音を意味する。しかし、楽器が発する音の質または性質は、部屋によって、またある部屋における楽器及び聴き手の位置によって異なる。従って、比較の基準として使用される「基準」音は、主観的選択を伴う（これは全ての音楽再生に関して言えることである）が、この主観性は、最小限の残響音またはその他の音の成分しかない部屋において楽器から適切な距離（通常ミッド・フィールド）に配置される高品質の（通常、指向性）マイクロフォンを使用することによって最小限に抑えられる。無響室（めったに使えないが）はこの目的のために理想的な場所である。
【００４６】
第一のマイクロフォンによってピックアップする音及び基準音を発するために楽器を演奏するステップは、楽器の全範囲を代表する音楽的音を発するために熟練したミュージシャンが一貫した音量と音質で適宜一連の音符、コード及びフレーズを演奏することを要求する。ミュージシャンが演奏するとき、各音符及びコードの音は第一のマイクロフォンによってピックアップされる。第一のマイクロフォンは、適切な前置増幅器（例えばＭｉｃ  Ｐｒｅａｍｐ１またはＭｉｃ  Ｐｒｅａｍｐ２）、従来の専門的な高品質のイコライザ（例えば、ＥＱ１、ＥＱ２またはＥＱ３）及び増幅器（Ａｍｐ）を通じてモニタ・ラウドスピーカ（例えば、Ｓｐｋｒ１またはＳｐｋｒ２）または希望する場合にはヘッドフォンに結合することができる。ミュージシャンは、比較ステップの可能ないくつかの方法のうちどれが実施されるかに応じて第一のマイクロフォンによってピックアップされる対応する音と同時にあるいはこれと交互に、基準音を発する。上に説明した通り、基準音は、聴取場所において聞かれる楽器のアコースティック・サウンドでもよいし、平均的「理想的」アコースティック・サウンドに近い、聴取場所において基準マイクロフォンによってピックアップされる音でも良い（比較のために、第一のマイクロフォンに使用されるのと同様の増幅設備及び等化設備を通じて処理することができる）。
【００４７】
第一のマイクロフォンによってピックアップされる楽器の音を楽器の基準音と比較するステップは、いくつかの方法で行うことができる。各方法において、一方の音を他方の音に一致させるために、熟練した音響技術者またはこれと同等の訓練を受けた者が２つの音を比較して、フィルタ、イコライザなどを調整することが望ましい。音響工学の分野においては、熟練した技術者または音響技師は少なくとも現在入手できる音響テスト設備と同じ程度に類似音の音響シグナチャーを聞き分けることができることは、よく知られている。下記の「音響技術者用ハンドブック−新音響百科事典」第二版、Ｇｌｅｎ  Ｂａｌｌｏｕ編（１９９１年、Ｈ．Ｗ．Ｓａｍｓ  ａｎｄ  Ｃｏ．，Ｄｉｖ．  Ｏｆ  Ｍａｃｍｉｌｌａｎ，  Ｃａｒｎｅｌ  ＩＮ）の記事からの抜粋は、このことを明らかにしている、
（２５３ページ）Ｆ．  Ｍｉｌｌｅｒ、「所有する最良のテスト設備は自身の耳と優れた判断力である」
（５０１ページ）Ｃ．  Ｈｅｎｄｒｉｃｋｓｏｎ、「一部のユーザーまたは音響設備の評価者は、実際、音楽または音声信号を入力とするラウドスピーカの音質を聴くだけで判断を下すことができる。これは、実際、学習可能な技術及び領域である」
（１４０８ページ）Ｄ．  ＆  Ｃ．  Ｄａｖｉｓ、「入手可能なもっとも高度なアナライザすなわち訓練された耳−脳神経系を使いながらオーディエンス・エリアを歩くと、最良のエリアと最悪のエリアが決まる。次に、基準に使うために最良のエリアで（設備を使って）測定し、修正のために最悪のエリアで測定する。技術者があるシチュエーションに対して測定マイクロフォンをどの位置に配置するかを見ていれば、彼の履歴書より事を明らかにする」
ここでは、分析及び／又は設計例は、人間のオペレータ／技師のために記述されているが、分析及び設計の両方に、コンピュータ又はその他の機械を援用することができる。このような機械は、直接人間が関与することなく分析及び／又は設計を達成することもできる。例えば、本明細書によると、訓練された技師がそれを行なう必要なく、このようなシステムの販売拠点で特定の個々の楽器（ここで述べられているような比較的一般的な楽器タイプではなく）に合わせて唯一のイコライザシステムを微調整するように機械を設計することができる。
【００４８】
比較ステップを最も単純に行う場合、第１のマイクロフォンによりモニター拡声器又はイヤホンのいずれかに対し送られた音響信号を、聴取場所にあるイコライザに常駐する音響技術者によって聴覚的に受けとられた音と直接的かつ同時に比較することができる。特定の音符又は和音を反復的に演奏する間、技術者は、イコライザを調整して、第１のマイクロフォンからの音を直接聞いた基準音と一致するようにする。
【００４９】
このような音を比較する方法の利点は、基準音が、電子形態へ及び電子形態からの変換により影響されていない、楽器から聴取場所まで伝送された真のアコースティックサウンドであるという点にある。しかしながら、この方法にもいくつかの欠点がある。これらの欠点としては、以下のものが含まれる。
【００５０】
２つの音を合わせて演奏した場合、それらは単一の組合さった音を生成し、かくして互いに影響し合い、そのため２つの同時音を比較し等化することはほぼ不可能である。それらは一度に一つずつ聴取されなくてはならず、このことはすなわち、聴取されている音と「覚えている」音と比較することを意味する。これは前後に往復する直接的比較よりもはるかに不精確である。
【００５１】
一部の利用分野については、楽器から聴取場所に送られた純粋なアコースティックサウンドと異なる基準音を提供することが望ましいかもしれない。ドラムセットの音及び或る種のボーカルスタイルの音は、電子的修正プロセスを組合せたマイクロフォンの設置が音楽的に受入れられた音標準である一般的な例である。
【００５２】
従って、２つの音を比較する好ましいやり方は、第２の基準マイクロフォンが聴取場所に設置されている状態で、楽器のアコースティックサウンドをピックアップすると同時に録音することである。完全な記録を得るためには、楽器は、代表的な音楽の抜粋に沿って、その全範囲を網羅する一連の音符及び和音を演奏されなくてはならない。このプロセス全体は、同じタイプの複数の楽器で反復され、個々の楽器の差が確実に考慮され、最終的設計パラメータ内で確実に機能するようにする。基準マイクロフォンの出力は、補償済みの基準音を作り出すように調整される従来のスタジオ品質のミキサー又はイコライザバンクの中を通過させることもできる。ここで、補償済みの基準音は、増幅器及びモニタースピーカー又はヘッドホンに供給されたときに、楽器の直接的未増幅サウンドと同一であるか、又は可能なかぎりそれに近いか、又異なる場合には一般的演奏において望まれる基準音に近い音響出力を生成するものである。第１のマイクロフォンのためのイコライザは、次に、第１のマイクロフォンからの音を基準音と適合したものにするべく、楽器の連続した演奏を通して調整され得る。
【００５３】
第１のマイクロフォンのためのイコライザの設定値は、このとき、最終ステップでカスタムメイドのイコライザを設計するためのデータを提供する。代替的には、第２のマイクロフォンのためのイコライザの初期設定値を書き留めた後、技師はそのイコライザを調整して基準音を第１のマイクロフォンからの音と適合させることができる。このとき第２のイコライザの設定値の変化は、本発明のカスタムメイドのイコライザを設計するためのデータを提供する。以下でさらに説明するように、この調整は、自動的にでも行なうことができる。
【００５４】
第２の基準マイクロフォンの使用も同様に、比較ステップのさらなる改善を可能にする。第１のマイクロフォンからの音及び基準音は両方共電子形態に変換されてしまっていることから、これらを、マルチチャンネルテープレコーダ（例えばＡＤＡＴ）の別々のトラック上に同時に記録することができる。これには２つの利点がある。第１に、テストデータ（音符、和音及び楽節）は１回しか演奏する必要がなく、その後、イコライザ制御機構に対し調整が行なわれるにつれて、テープから何度も同じ形で反復させることができる。こうして、確実に同じ音が毎回比較されていることになる。第２に、第１のマイクロフォンからの音及び基準音は、分離され逐次的に再生され得、そのため音を比較する作業ははるかに容易になる。音響周波数スペクトルのハイエンド又はローエンドを通して差異が比較的均等であるか否か又はそれらが単数又は複数の比較的狭い周波数範囲にあるか否かに応じて、適切なハイパス、ローパス、バンドパス又はノッチフィルタ回路を選択し組合せることができ、選択されたタイプの楽器用としてカスタムメイドするべき所望のイコライザを達成するため有能な技師が成分値を決定することができる。
【００５５】
図２Ａ及び２Ｂは、サウンドホールに対し特殊クリップ（図示せず）により小型マイクロフォンアセンブリが取付けられたアコースティックギターに適用された場合の上述の設計プロセスの結果を示している。これらの図面のイコライザにおいては、入力利得回路６０がハイパスフィルタ回路７０に接続され、このハイパスフィルタ回路が今度は、並列の２つのバンド除去フィルタ回路１１０及び２１０に供給を行ない、これらの回路は最後に出力アンプ回路３１０に接続する。フィルタは、従来の一般的な標準的回路であることから、その動作についてのさらなる説明は全く不要である。
【００５６】
図３は、バスドラム用の、本発明の方法で設計されたカスタムメイドのイコライザのブロック図を示す、バスドラム上の選択された場所に取付けられたマイクロフォン（図示せず）からの出力は、１６から１６０Ｈｚの調整可能なより低い周波数ロールオフをもつハイパスフィルタ３２まで、プリアンプ（図示せず）を通して供給されることになる。この回路は、このタイプのドラムからの音の強い低周波数成分をカットオフできるようにし、これはそうでなければ増幅器システムを飽和させることになり得る。ハイパスフィルタ３２から、信号は（１０ＫＨｚで低周波数ロールオフをもつ）ハイパスフィルタ３３、（１６０Ｈｚと１２ＫＨｚの間で調整可能な低周波数ロールオフをもつ）ハイパスフィルタ３４、そして（３１．５〜５００Ｈｚの範囲の調整可能な高周波数ロールオフをもつ）ローパスフィルタ３５を通過する。「ＤＲＹ」とラベル付けされたブロック３６は、もとの音との比較を可能にするためのフィルタ３３−３５のまわりの選択可能なハイパス経路を示す。
【００５７】
図４は、スネアドラムのためにカスタムメイドされたイコライザのブロック図である。このイコライザは同様に、（１６０Ｈｚと１６Ｈｚの間の調整可能な低周波数ロールオフを伴う）ハイパスフィルタ４３及び（４０〜２ＫＨｚの間に調整可能な低周波数ロールオフをもつ）ローパスフィルタ４４へと導く調整可能な低周波数フィルタを伴うハイパスフィルタ４２を有している。図３のバスドラムイコライザの場合と同様に、バイパス「ＤＲＹ」経路４５が存在する。
【００５８】
図５は、タムタムのためのカスタムメイドイコライザを例示している。これはハイパスフィルタ５３（３．１５ＫＨｚでの固定低周波数ロールオフをもつ）及びローパスフィルタ５４（４０Ｈｚと２ＫＨｚの間の調整可能な高周波数ロールオフをもつ）及びを有する単純な回路である。前述のドラムイコライザの場合と同様、バイパス「ＤＲＹ」経路５５が存在する。
【００５９】
特定のタイプのアコースティック楽器のためにカスタムメイドされたイコライザの前述の例は、この楽器に近接して設置された又は直接取付けられたマイクロフォンと組合わされたとき、これらの楽器の高忠実度音響再生を提供するための本発明の単純ひいては安価な解決法を実証する。
【００６０】
カスタムメイドされたイコライザシステムがもつさらなる利点は、望ましくない音の除去の大幅な増大という点にあり、これはマイクロフォンの指向性特性が急激に増加することと機能的に等価である。同様に、この増大は、音に対し付加的な着色（coloration)（不精確さ）を加えることなく達成される。この着色は、指向性マイクロフォンにとって、特にマイクロフォンの指向性が極度に高い場合、非常に一般的なものである。これは、指向性マイクロフォンが、非常に複雑で予測不可能である位相キャンセルを用いて動作しているからである。「軸外」応答（望ましくない方向からの音）は特に厄介である。本発明の１実施形態に従ったカスタムメイドのフィルタ要素の配置は、通常可能であるよりもはるかに楽器に近いスポットから自然な音を生成できるようにする。このため、距離とエネルギーの間の逆二乗関係によって、指向性マイクロフォンが位相キャンセルにより実現する不要な音に対する必要な音の比率を著しく増加する。この増加は、付加的な位相キャンセルが全く無い状態で発生し、従ってマイクロフォンが使用されている時つねに起こる着色は一定にとどまる。
【００６１】
本発明の方法のさらなる利点は、それが、これまで実現不可能であった状況下での無指向性マイクロフォンの使用を可能にするという点にある。無指向性マイクロフォンが類似の品質の指向性マイクロフォンに比べて本質的に小さく、より精確でかつ製造し易いことから、これは有利なことである。無指向性マイクロフォンを用いる場合でさえ、本発明の方法により提供された除去量は数多くの状況下で、より一層指向性の高いマイクロフォンにより提供されるものと同等である。又はそれ以上である。無指向性マイクロフォンは本質的により自然に聞こえ、（位相キャンセル無し）、かつ著しく小さくすることができる（無指向性マイクロフォンは、指向性マイクロフォンが所望のキャンセルを提供するために使用するハウジングを必要としない）ため、システムは、無指向性マイクロフォンで以下のような有利な効果を有する。
【００６２】
１−  システムは、マイクロフォンを楽器に対しより近く設置できるようにする。
【００６３】
２−  該設置により、除去は増大する。
【００６４】
３−  増大は、指向性マイクロフォンのニーズを減らすか又は無くし、かくして無指向性マイクロフォンの使用を可能にする。
【００６５】
４−  無指向性マイクロフォンは、指向性マイクロフォンより小さく作ることができ、楽器に対しさらに近く設置できることになる。
【００６６】
５−  新しい設置は、除去のさらなる増大を提供する。
【００６７】
同様に、非常に近接した範囲で、無指向性マイクロフォンは、単一指向性マイクロフォンに比べてより精確なアコースティックシグネチュアをピックアップする確率が高い（これは、無指向性マイクロフォンが近距離で楽器をより良く「理解する」からである）、マイクロフォンを楽器に対しより近く設置できることから、本発明のカスタムメイドの等化システムを伴う無指向性マイクロフォンの信号対雑音比は、楽器から遠く離れて設置されたマイクロフォンよりも高い。
【００６８】
本発明の方法を自動的に達成するシステム（特にデジタル式のもの）を構築することが可能である。必要とされるハードウェアは、特定の楽器さらには楽器タイプに特定的ではない（マイクロフォン及び取付け機構を除く）。この方法の実施形態には、次のステップが含まれる。
【００６９】
１−  ２台のマイクロフォンを設置する（Ｍｉｃ１＝楽器の上又は近くのシステムマイクロフォン、Ｍｉｃ２＝前述の通りの基準場所にある基準マイクロフォン）。
【００７０】
２−  楽器の基準音を演奏する。
【００７１】
３−  プロセッサに、両方のマイクロフォンからの信号を（例えば高速フーリエ変換を介して）比較させる。
【００７２】
４−  プロセッサに、デジタルフィルタアルゴリズム（例えばＦＩＲ）を新規作成させてＭｉｃ１信号をＭｉｃ２信号と整合させ、該アルゴリズムを記憶させる。
【００７３】
５−  異なる基準音でステップ２、３及び４を反復する（そして各アルゴリズムを記憶する）。
【００７４】
６−  プロセッサに、アルゴリズムを最終アルゴリズム（例えばＦＩＲ）へと「平均化」させる。
【００７５】
７−  最終アルゴリズムを、デジタル信号プロセッサ（ＤＳＰ）といったような実時間プロセッサに適用する。
【００７６】
以上のステップは、特定の個々の楽器に適用可能である。ユーザーがこれを行なう必要性をなくすため、同じタイプの複数の異なる楽器（例えば複数のバイオリン）を用い、複数の平均化されたアルゴリズムの結果を（ステップ６で）記憶することにより、ステップ１〜７を反復することができる。複数のアルゴリズムの結果をこのとき、複合最終アルゴリズムへと「平均化」することができ、特定の楽器に該システムをカスタマイズするのに必要な努力に関心のないユーザーはこれを「オフザシェルフ」で使用することができる。該方法の実験時バージョンによって決定されたものと同じ数及び範囲の制御機構を提供することが有用であることから、これらの制御機構はユーザーが好みに合わせていずれかのバージョンを同調させることができるようにすることになる。これらのアルゴリズムをランさせるのに必要とされるハードウェアは、特定の楽器さらには楽器タイプに特定的なものではない（マイクロフォン及び取付け機構以外）。必要なことは、最も手動的な同調制御機構（例えばデータホイールであるノブなど）を必要としうる楽器のために充分な制御機構が存在するということだけである。かくして、異なる楽器及び楽器タイプのためのさまざまなソフトウェア（例えばプログラム、データセットなど）、さらには楽器又は楽器タイプのための異なる基準音を、適切な媒体（ＲＯＭ、デイスケットなど）上で供給することができる。本発明の上述のシステムは、アルゴリズムが上述のステップの中にある通りに導出されたか又は本書の他の方法を用いて導出されるフィルタ要素を模倣するべく１つのアルゴリズムが（別途）新規作成されるかとは無関係に、該方法の１つの実行可能な実現である。
【００７７】
結果の精度及び使用の容易さの両方にとって、バンドパスフィルタ又はバンド除去フィルタの両方の２つの側面を別々に調整できることが有利である。これは数多くの状況において、バンドパス又はバンド除去フィルタの２つの「側面」の設置について行なう選択が独立したものであるからである。
【００７８】
例えば、音響作品内のバンドパスフィルタの場合、低周波数音（例えばハム）の除去を開始することを選択した場合と、高周波数音（例えばヒス）の除去を開始したい場合とは全く無関係である。単一パラメータのバンドパスフィルタは必要とされる形状を作り出す一方で、あらゆる単一の制御機構が両側面に効果を発揮させることになる、一方の制御機構における変化をもう一方の制御機構内での同時の適切な変化で相殺することによってのみ、セットされた一方の側面は定常にとどまることになり、従ってもう一方の側面は独立して調整可能である。実際には、これは不可能である。一部の入手可能なイコライザは、直列で別々のローパスフィルタとハイパスフィルタを提供することによってこれを可能にする。図６は、直列のローパスとハイパスの標準的な組合せがいかにしてバンドパス転送機能を生み出すかを示している。
【００７９】
標準的には、フォードバックリンギングといったような比較的狭い範囲又は単一の周波数を無くするために、バンド除去フィルタが用いられる。それは、広く浅い範囲を低減させるためにも用いられる。大部分のケースにおいて、該除去は概念的に中心周波数のまわりに置かれる。しかしながら、大量のミッドレンジ周波数が除去される場合には、１つの禁止帯域ではなくむしろ２つの通過帯域を考慮することが望ましい。一例としては、大きく２つの部分から成る音をもつスネアドラムが挙げられる。第１の部分は１ＫＨｚ未満近辺のかなり低いスキン・アンド・シェル共鳴（スネアが「オフ」状態のドラムの音）であり、第２の部分は、ボトムスキンに対してビリツキを生じるメタルスネアのおそらくは４ＫＨｚより高いハイエンドである。これら２つの独立した部域をパラメータバンド除去フィルタ下で同調させようとすると、上述のバンドパスフィルタの場合と同じ相互依存性の問題が生じる。この場合、１つの信号を整形する上で、別々の高及び低周波数制御機構がより有用である。図７は、容易に制御されるノッチ機能を作り出すためにいかにしてローパス及びハイパスを並列で用いることができるかを示している。
【００８０】
この配置がもつ付加的な利点は、別々の利得制御機構を各々のフィルタに付加でき、かくしてハイパス及びローパスバンドのバランスを変動させることができるようになっている、という点にある。図８は、ハイエンドのスネアービリツキサウンドをより多く強調するようにスネアドラムと同調させた状況を示している。これは、パラメータイコライザではきわめて困難であるか又は不可能である。
【００８１】
ここで図４に戻ると、スネアドラムのために設計されたフィルタ内でのこの配置の一例を含むブロック図が示されている。要素４３は、音量制御機構を伴う同調可能なハイパスフィルタである。それは、同調可能なローパスフィルタ４４（別々の音量制御機構は示されていない）と直列に示されている。このための概略図は、単純な模範的回路の組合せでありかくしてここで詳細には示さない。これは、２つの別々のチャンネルに原信号を送り次にチャンネル１上の同調可能なハイパスフィルタ、チャンネル２上の同調可能なローパスフィルタを使用し、次に結果を混合することにより、一部のミキシングコンソール上で模倣され得る。これは非常にわずらわしいプロセスであり、ユーザーが試行しようとするにはまずアコースティック信号の性質を充分に理解することが必要となる。本発明の１実施形態に従うと、この回路は、これらの問題のいずれかを予め理解する必要なく、これらのより優れた結果を得るべくユーザーに教示する。
【００８２】
確かに一部のデジタルイコライザ（特に高度なコンピュータプログラム及びシンセサイザー・ワークステーション上の）は、フィルタ又はフィルタ組合せの事実上全ての形状の「ドローイング」を可能にする。しかしながら、これらは、任意の状況についての要素の任意の適切な組合せ及び制御の使用を「教示」せず、かくしてここで達成されているものを特定的に暗示していない。現発明のデジタル式実現においては、いかなる状況が要求されようともユーザーに対する「プリセットされたもの」の一部として、適切な制御パラメータと共にこの特殊なフィルタ組合せを利用することが可能となる。
【００８３】
上述のように、本発明のさらなる利点は、本発明により可能となった近接マイク設定によって得られる信号対雑音比の大幅な増大にある。電気機器（マイクロフォン、増幅器、イコライザなど）の雑音レベル（固有雑音）は一定である。該方法は、その他の方法に比べ音源により近いところにマイクロフォンを設置できるようにするため、コンポーネントの雑音が一定にとどまる一方で信号レベルは顕著に高くなる。これは、大幅に改善された信号対雑音比を生み出す。特に、それによって、その他の方法を用いて通常許容されるものよりも、はるかに高い雑音レベルをもち得るマイクロフォン及び付随するマイクロフォンプリアンプ（及びその他の付随する電子部品）の使用が可能となる。こうして、マイクロフォン自体をより小型にかつより低価格で作ることが可能となり（より低価格でかつ恐らくはマイクロフォンカプセル自体の中に内含させる必要のある電子部品は少なくなる）、本書で説明した全ての機器について仕様を比較的厳格でないものにすることができる。
【図面の簡単な説明】
【００８４】
【図１】本発明の１つの実施形態に従って設計されたイコライザ・システムの全体ブロック図である。
【図２Ａ】アコースティック・ギターに取付けられる小型マイクロフォン用イコライザの全体ブロック図である。
【図２Ｂ】図２Ａの回路の略図である。
【図３】本発明の１つの実施形態に従ってバス・ドラム用に設計されたイコライザ回路のブロック図である。
【図４】本発明の１つの実施形態に従ってスネア・ドラム用に設計されたイコライザ回路のブロック図である。
【図５】本発明の１つの実施形態に従ってタムタム用に設計されたイコライザ回路のブロック図である。
【図６】技術上既知の通りローパス・フィルタ及びハイパス・フィルタを直列に結合する方法を示す図式図である。
【図７】本発明の１つの実施形態に従ってローパス・フィルタ及びハイパス・フィルタを並列に結合する方法を示す図式図である。
【図８】ローパス・フィルタ及びハイパス・フィルタを並列に結合する本発明の第二の実施形態の図式図である。
【図１】
2005503694.tif 000003
【図２Ａ】
2005503694.tif 000004
【図２Ｂ】
2005503694.tif 000005
【図３】
2005503694.tif 000006
【図４】
2005503694.tif 000007
【図５】
2005503694.tif 000008
【国際公開パンフレット】
2005503694.tif 000009
2005503694.tif 000010
2005503694.tif 000011
2005503694.tif 000012
2005503694.tif 000013
2005503694.tif 000014
2005503694.tif 000015
2005503694.tif 000016
2005503694.tif 000017
2005503694.tif 000018
2005503694.tif 000019
2005503694.tif 000020
2005503694.tif 000021
2005503694.tif 000022
2005503694.tif 000023
2005503694.tif 000024
2005503694.tif 000025
2005503694.tif 000026
2005503694.tif 000027
2005503694.tif 000028
2005503694.tif 000029
2005503694.tif 000030
2005503694.tif 000031
2005503694.tif 000032
2005503694.tif 000033
2005503694.tif 000034
2005503694.tif 000035
2005503694.tif 000036
2005503694.tif 000037
2005503694.tif 000038
2005503694.tif 000039
2005503694.tif 000040
2005503694.tif 000041
2005503694.tif 000042
2005503694.tif 000043
2005503694.tif 000044
2005503694.tif 000045
2005503694.tif 000046
2005503694.tif 000047
2005503694.tif 000048
2005503694.tif 000049
2005503694.tif 000050
2005503694.tif 000051
2005503694.tif 000052
【国際公開パンフレット（コレクトバージョン）】
2005503694.tif 000053
【国際調査報告】
2005503694.tif 000054
2005503694.tif 000055
2005503694.tif 000056